(57)【要約】【課題】顧客が自分のカメラメディアを写真店等に預けることなく、簡便・確実かつ高品質にメディア記録サービスやデジカメプリントサービスを注文することのできるデジタル画像記録装置を提供すること。【解決手段】この記録ユニット２は、デジタル画像が記録されたカメラメディア１を挿脱可能に受け入れるとともにカメラメディア１からデジタル画像を読み取るメディアリーダ５と、お店ＩＤ１０・ユニットＩＤ１１を保持するメモリ６と、ＰＣメディア３を挿脱可能に受け入れるとともに読み取られたデジタル画像とお店ＩＤ１０・ユニットＩＤ１１とをＰＣメディア３に記録するＰＣメディアドライブ７とを有している。【選択図】  図４
2004348314.tif 000002
【特許請求の範囲】
【請求項１】
デジタル画像が記録された第１の記録媒体を挿脱可能に受け入れるとともに該第１の記録媒体から該デジタル画像を読み取る読取手段と、
所定の識別情報を保持する保持手段と、
第２の記録媒体を挿脱可能に受け入れるとともに前記読み取られたデジタル画像と前記識別情報とを該第２の記録媒体に記録する記録手段とを有することを特徴とするデジタル画像記録装置。
【請求項２】
前記所定の識別情報が、店ごとに割り振られた店識別情報、又は、前記デジタル画像記録装置ごとに割り振られたデジタル画像記録装置識別情報のうち少なくともいずれか１の識別情報であることを特徴とする請求項１に記載のデジタル画像記録装置。
【請求項３】
前記第１の記録媒体の脱離を検知した後に、前記第２の記録媒体の脱離が可能となることを特徴とする請求項１又は請求項２に記載のデジタル画像記録装置。
【請求項４】
前記第１の記録媒体内に記録された前記デジタル画像の画像コマ数を表示する表示部をさらに有することを特徴とする請求項１から請求項３のうちいずれか１項に記載のデジタル画像記録装置。
【請求項５】
前記第２の記録媒体に予め記録された所定の管理情報を検出した後に、前記第２の記録媒体への前記デジタル画像の記録が可能となることを特徴とする請求項１から請求項４のうちいずれか１項に記載のデジタル画像記録装置。
【請求項６】
デジタル画像と所定の識別情報とを記録するための記録媒体であって、前記デジタル画像の記録を可能とするための所定の管理情報が予め記録されたことを特徴とするデジタル画像記録媒体。
【請求項７】
コンピュータを、インターネットを経由して所定の情報を送信させる情報送信手段として機能させる写真注文プログラムであって、
前記所定の情報が、注文情報とデジタル画像と請求項１に記載のデジタル画像記録装置によって前記第２の記録媒体に記録された前記所定の識別情報に基づいて自動的に選択された店識別情報とを有することを特徴とする写真注文プログラム。
【請求項８】
請求項１に記載のデジタル画像記録装置によって前記第２の記録媒体に前記デジタル画像と前記所定の識別情報とを記録する工程と、
該所定の識別情報を前記第２の記録媒体上に印刷する工程と、
注文情報に基づいて前記デジタル画像を用いて写真プリントを作成する工程と、
前記第２の記録媒体上に印刷された識別情報に基づいて、該第２の記録媒体と前記写真プリントとを照合する工程とを有することを特徴とする写真注文システム。
【発明の詳細な説明】
【０００１】
【発明の属する技術分野】
本発明は、デジタル画像が記録されたデジタル画像記録媒体、その記録媒体にデジタル画像を記録するデジタル画像記録装置、写真注文プログラム、及び、その写真注文システムに関する。より具体的には、例えばデジタルカメラで撮影されたデジタル画像が所定の情報とともに記録されたコンパクトディスク（以下、ＣＤと略す。）等のデジタル画像記録媒体、その記録を写真店等において行うための店頭用のデジタル画像記録装置、その記録媒体を用いてインターネットを経由して写真注文を行うための写真注文プログラム、及び、その記録媒体を写真店等に持ち込んで写真注文を行う写真注文システムに関する。
【０００２】
【従来の技術】
従来から大ラボ等の写真現像所では、ネガフィルム上に撮影されたコマ画像から写真プリントを作成する写真プリントサービスが行われている。最近では、デジタルカメラで撮影した撮影画像のデジタルデータ（以下、単にデジタル画像という。）をＣＤ等の汎用性の高い記録媒体に記録するサービス（以下、メディア記録サービスという。）や、デジタル画像から写真プリントを作成する、いわゆるデジカメプリントサービスと呼ばれる写真プリントサービスも行われている（例えば、非特許文献１）。
【０００３】
このメディア記録サービスは、スマートメディア（登録商標）等の記録媒体（以下、カメラメディアという。）に記録されたデジタル画像を、ＣＤ等のより汎用性の高い記録媒体（以下、ＰＣメディアという。）に記録するサービスである。このメディア記録サービスを利用することにより、撮影したデジタル画像を汎用性が高くパーソナルコンピュータ（以下、ＰＣと略す。）との親和性が高いＣＤやＭＯ（光磁気ディスク）等のＰＣメディアに記録することができ、顧客は簡単にＰＣで撮影画像を確認したり、そのＰＣメディアを友人に配布して撮影画像を見せたりすることができる。
【０００４】
このメディア記録サービスを写真店等の店頭で行う場合は、店頭に設置された専用の記録装置を用いる。その記録装置に記録元としてのカメラメディアと記録先としてのＰＣメディアとを挿入し、所定の設定を行った後に記録操作を行う。
【０００５】
また、デジカメプリントサービスは、カメラメディアに記録されたデジタル画像から写真プリントを作成するサービスである。顧客は、そのカメラメディアを写真店に持ち込んだり、インターネットを経由して写真店や大ラボ等のサーバにデジタル画像を送信することにより、写真プリントの作成を注文する。
【０００６】
このデジカメプリントサービスの写真店等の店頭での注文においては、カメラメディアを写真店が預かる場合もあるが、上記のメディア記録サービスと同様に店頭の記録装置によってデジタル画像をＰＣメディアに記録してそのＰＣメディアを用いて写真プリントを作成する場合もある。
【０００７】
【非特許文献１】
週刊写真速報１５６９号、（有）写真速報社、平成１５年１月２４日、ｐ．３
【０００８】
【発明が解決しようとする課題】
しかしながら、上記の記録装置を用いてＰＣメディアへのデジタル画像の記録を行うためには所定の設定が必要となり、操作が複雑であるので、その操作は写真店の店員等が行っている。したがって、写真店としても手間がかかり、それによりサービス自体のコストも高くなってしまうという問題がある。顧客としても店員にわざわざ記録を依頼するのが面倒であったり、記録を自分で行いたいという要望を満足することができない。
【０００９】
一方、顧客が記録装置を自由に使えるようにすると、ＰＣメディアまで顧客が持ち込んで記録する場合が発生してしまうことも考えられる。顧客が自分のカメラメディアとともにＰＣメディアまでも持ち込んで記録を行うと、そのＰＣメディアについては写真店側で品質保証することができない。したがって、記録不良等が発生した場合に記録装置に原因があるのかＰＣメディアに原因があるのかの切り分けが困難となってしまうという問題がある。
【００１０】
カメラメディアを写真店に預けてデジカメプリントサービスを注文する場合は、デジタル画像の原本を預けてしまうことによる不安が顧客に生じてしまう。また、カメラメディアを１つしか持たない顧客にとっては、そのカメラメディアを預けてしまうとその間カメラによる撮影ができなくなってしまうという不便も生じてしまう。
【００１１】
インターネットを介してデジカメプリントを注文する場合は、仕上がったプリントを受け取る方法を指定する必要があるが、顧客が写真店での受け取りを指定するには、注文の度に受け取る写真店の情報（例えば、写真店の店名・住所・電話番号等）を入力しなければならず、大変に面倒であるという問題もある。
【００１２】
大ラボ等で写真プリントを作成する場合に、ＰＣメディアからのデジカメプリント注文が複数存在すると、工程管理が困難になるという問題もある。すなわち、ＰＣメディアは視認によってデジタル画像の確認ができず、また外観からＰＣメディアごとの区別がつかないので、注文ごとの照合作業が繁雑になってしまう。
【００１３】
本発明は上記の事情に鑑みて為されたもので、顧客が自分のカメラメディアを写真店等に預けることなく、簡便・確実かつ高品質にメディア記録サービスやデジカメプリントサービスを注文することのできるデジタル画像記録装置、そのデジタル画像記録装置に用いられるデジタル画像記録媒体を提供することを例示的目的とする。
【００１４】
また、インターネットを経由してデジカメプリントサービスを注文する場合に、顧客が簡便に注文を行うことのできる写真注文プログラムを提供することを他の例示的目的とする。写真店等における写真注文や大ラボ等における写真プリントの照合を簡便・確実に行うことができる写真注文システムを提供することをさらに他の例示的目的とする。
【００１５】
【課題を解決するための手段】
上記の例示的目的を達成するために、本発明の一側面としてのデジタル画像記録装置は、デジタル画像が記録された第１の記録媒体を挿脱可能に受け入れるとともに第１の記録媒体からデジタル画像を読み取る読取手段と、所定の識別情報を保持する保持手段と、第２の記録媒体を挿脱可能に受け入れるとともに読み取られたデジタル画像と識別情報とを第２の記録媒体に記録する記録手段とを有することを特徴とする。
【００１６】
本発明の一側面としてのデジタル画像記録媒体は、デジタル画像と所定の識別情報とを記録するための記録媒体であって、デジタル画像の記録を可能とするための所定の管理情報が予め記録されたことを特徴とする。
【００１７】
本発明の一側面としての写真注文プログラムは、コンピュータを、インターネットを経由して所定の情報を送信させる情報送信手段として機能させる写真注文プログラムであって、所定の情報が、注文情報とデジタル画像とデジタル画像記録装置によって第２の記録媒体に記録された所定の識別情報に基づいて自動的に選択された店識別情報とを有することを特徴とする。
【００１８】
本発明の一側面としての写真注文システムは、デジタル画像記録装置によって第２の記録媒体にデジタル画像と所定の識別情報とを記録する工程と、所定の識別情報を第２の記録媒体上に印刷する工程と、注文情報に基づいてデジタル画像を用いて写真プリントを作成する工程と、第２の記録媒体上に印刷された識別情報に基づいて、第２の記録媒体と写真プリントとを照合する工程とを有することを特徴とする。
【００１９】
本発明の更なる目的又はその他の特徴は、以下添付図面を参照して説明される好ましい実施例によって明らかにされるであろう。
【００２０】
【発明の実施の形態】
【実施の形態１】
図１は、本発明の実施の形態１に係る写真注文システムの全体構成を示す図であり、図２はその写真注文システムにおける写真注文から写真プリント作成までの手順を説明するフローチャートである。本実施の形態１においては、顧客Ｃがデジタルカメラで撮影した撮影画像のデジタルデータ（デジタル画像）を写真店Ｓに持ち込んで写真プリントの作成を注文する場合について説明する。
【００２１】
まず、顧客Ｃはデジタルカメラで撮影したデジタル画像を第１の記録媒体としてのデジタルカメラ用の記録媒体（カメラメディア）１に記録し、そのカメラメディア１を写真店Ｓに持ち込む（Ｓ．１）。このカメラメディア１としては例えば、スマートメディア（登録商標）、ｘＤピクチャーカード（登録商標）、コンパクトフラッシュ（登録商標）、ＳＤカード（登録商標）、メモリスティック（登録商標）等の記録媒体が考えられる。
【００２２】
写真店Ｓには、図３に示すデジタル画像記録装置としての記録ユニット２が設置されている。この記録ユニット２は、カメラメディア１内のデジタル画像を汎用性の高いＣＤ等の第２の記録媒体（ＰＣメディア、デジタル画像記録媒体）３に記録するためのものである。この記録ユニット２の内部構成の概略ブロックを図４に示す。
【００２３】
この記録ユニット２は、制御部４、読取手段としてのメディアリーダ５、保持手段としてのメモリ６、記録手段としてのＰＣメディアドライブ７、表示部としてのＬＣＤ部８、電源部９を有して大略構成される。
【００２４】
制御部４は、この記録ユニット２全体の動作やデータ入出力を制御するためのものである。後述するメディアリーダ５やＰＣメディアドライブ７の動作制御を行ったり、カメラメディア１からのデジタル画像の読み取り、そのデジタル画像のメモリ６への保持、メモリ６内のデジタル画像や識別情報のＰＣメディア３への記録といったデータ入出力制御を行ったりするためのものである。
【００２５】
メディアリーダ５は、カメラメディア１を挿脱可能に受け入れるとともにそのカメラメディア１内のデジタル画像を読み取るものである。上記したスマートメディア、ｘＤピクチャーカード等の種々のカメラメディア１を受け入れることができるように、このメディアリーダ５はそれぞれのカメラメディア１に対応した挿入部５ａを有している。メディアリーダ５には、カメラメディア検知部５ｂが備えられており、カメラメディア１の挿脱を検知することができるようになっている。このカメラメディア検知部５ｂとして、マイクロスイッチ・光センサ・磁気センサ等の機械的・電気的・光学的・磁気的センサを別途設けて用いてもよいし、メディアリーダ５の読取ヘッドからの読み取り信号の有無を判断することによりカメラメディア１の挿脱を検知するようにしてもよい。また、メディアリーダ５によって読み取られたデジタル画像は、メモリ６に保持されるようになっている。
【００２６】
保持手段としてのメモリ６は、種々のデータを電気的、磁気的、あるいは光学的に保持するためのものである。このメモリ６にはメディアリーダ５で読み取られたデジタル画像が保持され、そのデジタル画像はＰＣメディアドライブ７によってＰＣメディア３に記録される。また、このメモリ６には、店識別番号としてのお店ＩＤ１０やデジタル画像記録装置識別情報としてのユニットＩＤ１１も保持されている。
【００２７】
このお店ＩＤ１０は、この記録ユニット２が設置された写真店Ｓを他の写真店と識別するために店ごとに割り振られた店識別番号である。このお店ＩＤ１０がＰＣメディア３に記録されると、ＰＣメディア３からお店ＩＤ１０を読み取ることによりこのＰＣメディア３の取次店としての写真店Ｓを特定することができる。したがって、大ラボＬにおいては、写真プリント作成後にこのＰＣメディア３と写真プリントを送付する送付先としての写真店Ｓを容易に特定することができる。また、顧客ＣがこのＰＣメディア３を用いて後述する写真注文プログラムによって写真注文を行う場合に、作成された写真プリントを受け取る受取店としての写真店Ｓを容易に特定することができる。
【００２８】
本実施の形態１においては、このお店ＩＤ１０として例えば写真店ごとに予め割り振られたシリアルナンバーに対応する７桁の数字が用いられ、ＰＣメディア３に記録されるお店ＩＤ１０としては上記の７桁の数字のみとされている。例えば記録ユニット２内のメモリ６や後述する大ラボＬのＷｅｂサーバ１０２内には、お店ＩＤ１０に関連付けられた写真店の店名、住所、電話番号等の写真店Ｓを特定するための情報がデータベースとして備えられている。ＰＣメディア３からお店ＩＤ１０が読み取られると、それに関連付けられた写真店Ｓを特定するための情報がデータベースから抽出され、写真店Ｓを容易に特定することができるようになっている。しかしながら、お店ＩＤ１０は上記７桁の数字のみに限られるものでなく、それに加えてその写真店Ｓの店名、住所、電話番号等の写真店Ｓを特定するためのその他の情報を含んでそれらの情報をＰＣメディア３に記録するように構成されていてももちろんよい。
【００２９】
ユニットＩＤ１１は、この記録ユニット２を他の記録ユニットと識別するために記録ユニットごとに割り振られたデジタル画像記録装置識別情報である。このユニットＩＤ１１により、写真店Ｓに複数の記録ユニットが設置されている場合であっても、このＰＣメディア３にデジタル画像を記録した記録ユニット２を容易に特定することができる。したがって、記録されたデジタル画像に不具合が生じたような場合であっても、その原因調査が容易となる。
【００３０】
ＰＣメディアドライブ７は、ＰＣメディア３を挿脱可能に受け入れるとともにそのＰＣメディア３にカメラメディア１から読み取られたデジタル画像とメモリ６に保持されているお店ＩＤ１０・ユニットＩＤ１１とを記録するためのものである。このＰＣメディアドライブ７には、ＰＣメディア検知部７ａが備えられており、ＰＣメディア３の挿脱を検知することができるようになっている。このＰＣメディア検知部７ａとして、マイクロスイッチ・光センサ・磁気センサ等の機械的・電気的・光学的・磁気的センサを別途設けて用いてもよいし、ＰＣメディアリーダ５の図示しない読取ヘッドからの読み取り信号の有無を判断することによりＰＣメディア３の挿脱を検知するようにしてもよい。このＰＣメディアドライブ７においては、カメラメディア検知部５ｂによりすべてのカメラメディア１の脱離が検知された後にＰＣメディア３の脱離が可能となるように構成されている。それにより、カメラメディア１をメディアリーダ５に挿入したまま忘れてＰＣメディア３のみ持ち帰るようなカメラメディア１の取り出し忘れを防止することができる。
【００３１】
ＰＣメディア３としては、例えばＣＤ−Ｒ、ＣＤ−ＲＷ、ＤＶＤ−ＲＡＭ等の記録媒体が用いられる。これらの記録媒体はＰＣとの親和性が高く、ＰＣでの読み取りが容易なものとなっている。また、記録されたデジタル画像等の情報が後に誤って消去されてしまうことがないように、ＣＤ−Ｒ等の追記型記録媒体を使用することはさらに望ましい。
【００３２】
このＰＣメディア３には所定の管理情報３ａが予め記録されている。この管理情報３ａは、ＰＣメディア３がこの記録ユニット２用の専用メディアであることを示すためのものであり、ＰＣメディアドライブ７に挿入されたＰＣメディア３の管理情報３ａが検出されないとこのＰＣメディアドライブ７は記録動作を行わないようになっている。すなわち、この記録ユニット２は管理情報３ａが予め記録された専用のＰＣメディア３しか使用することができないように構成されており、品質保証の困難な他のＰＣメディアを顧客が使用してしまうのを防ぐことができるようになっている。
【００３３】
ＬＣＤ部８は、この記録ユニット２の動作状態やエラーメッセージ等の種々の情報を表示するためのものである。このＬＣＤ部８には、挿入されたカメラメディア１内に記録されているデジタル画像の画像コマ数も表示されるようになっている。それにより、顧客Ｃがコマ数を確認しながら安心してこの記録ユニット２を操作することができ、ＰＣメディア３に記録されたデジタル画像のコマ数とカメラメディア１内のデジタル画像のコマ数との不整合等を防止することができるようになっている。
【００３４】
電源部９は、例えば家庭用１００Ｖ電源等のプラグコンセント（Ｐ．Ｓ．）等に接続されて、この記録ユニットに電力を供給するためのものである。
【００３５】
顧客Ｃは持ち込んだカメラメディア１を、写真店Ｓに設置された記録ユニット２のメディアリーダ５の挿入部５ａに挿入する。それにより、カメラメディア検知部５ｂによってカメラメディア１の挿入が検知される。メディアリーダ５によってカメラメディア１内のデジタル画像が読み取られるとＬＣＤ部８にデジタル画像のコマ数が表示されるとともにデジタル画像がメモリ６に保持される。
【００３６】
ＰＣメディア３をＰＣメディアドライブ７に挿入するとＰＣメディア検知部７ａによってＰＣメディア３の挿入が検知される。それとともに、ＰＣメディア３から管理情報３ａがＰＣメディアドライブ７によって読み取られる。管理情報３ａが読み取れない場合は、例えばＬＣＤ部８に”専用メディアをお使いください”等のエラーメッセージが表示されて、挿入されたＰＣメディアが排出（脱離）される。
【００３７】
管理情報３ａが検出された後に顧客Ｃが記録開始ボタン１２を押すと、この記録ユニット２は、ＰＣメディア３にデジタル画像を記録する（Ｓ．２）。このとき、記録すべきデジタル画像を操作者（顧客Ｃ）が選択することができるように記録ユニット２を構成することも可能であるが、顧客Ｃが簡単に操作することができるように、この実施の形態１においてはカメラメディア１内のデジタル画像のすべてを自動的にＰＣメディア３に記録するように構成している。
【００３８】
この記録ユニット２は、メモリ６に保持されたお店ＩＤ・ユニットＩＤ１１もデジタル画像とともにＰＣメディア３に記録する（Ｓ．２）。さらに、このＰＣメディア３を用いて自宅のＰＣ等からインターネットを経由して写真プリント作成の注文を行うことのできる写真注文プログラムもメモリ６に保持されており、この写真注文プログラムがＰＣメディア３内に記録される。このお店ＩＤ１０としては、写真店Ｓに予め割り振られたシリアルナンバーに対応する７桁の数字が用いられるが、それとともに写真店Ｓの店名、住所、電話番号等の写真店Ｓを特定するためのその他の情報を含んでももちろんよい。
【００３９】
記録が完了すると、顧客Ｃはカメラメディア１を記録ユニット１のメディアリーダ５から取り出し、その後、ＰＣメディア３を記録ユニット１のＰＣメディアドライブ７から取り出す。このとき、カメラメディア検知部５ｂによりカメラメディア１の脱離が検知されないとＰＣメディア３の取り出しができないので、カメラメディア１を取り出し忘れてしまうことはない。また、記録ユニット２による記録操作は非常に簡単なものとされているので、写真店Ｓの店員が行う必要はなく顧客Ｃが自ら行っても操作ミスをすることは殆どない。
【００４０】
顧客Ｃが写真プリントの作成（いわゆるデジカメプリントサービス）を希望せず、ＰＣメディア３へのデジタル画像の記録（メディア記録サービス）のみを希望する場合は、カメラメディア１と記録済みのＰＣメディア３とを持ち帰る。顧客Ｃは、持ち帰ったＰＣメディア３を自宅のＰＣ等に挿入することにより、デジタル画像を鑑賞して楽しんだり、ＰＣメディア３内の写真注文プログラムを用いて自宅のＰＣから写真プリント作成の注文を行ったりすることができる。
【００４１】
顧客Ｃがデジカメプリントサービスを希望する場合は、写真店Ｓにおいて、顧客Ｃの名前・電話番号等の顧客情報とともに写真プリントのサイズ・面種・枚数、プリント作成を希望するデジタル画像のコマ番号等の注文情報を注文袋としてのＤＰ袋１３に記入する（Ｓ．３）。ＤＰ袋１３には、さらにお店ＩＤ１０も記入される。お店ＩＤ１０は、予めＤＰ袋１３に印刷されていてもよい。注文情報の記入が完了すると、写真店ＳからＰＣメディア３とともにＤＰ袋１３が大ラボＬへと送られる（Ｓ．４）。それとともに、顧客Ｃは自分のカメラメディア１を持ち帰る（Ｓ．５）。デジカメプリントサービスを希望した場合であっても顧客Ｃは写真店Ｓに預けることなく自分のカメラメディア１を持ち帰ることができるので安心である。また、カメラメディア１の予備がない場合であっても、顧客Ｃはすぐにそのカメラメディア１を用いて自分のデジタルカメラで撮影を行うことができて便利である。
【００４２】
ＰＣメディア３とＤＰ袋１３が送られてくると、大ラボＬにおいてまずＤＰ袋１３からＰＣメディア３が取り出され、図５に示すＰＣメディア処理装置１４によってこのＰＣメディア３の表面にお店ＩＤ１０が印刷される（Ｓ．６）。このＰＣメディア処理装置１４は、複数のＰＣメディア３をトレイ１５上に重ねて積み上げ連続的に処理することができるもので、トレイ１５からアーム１６によって１枚ずつＰＣメディア３を読取部１７まで搬送し、写真プリントを作成するためのデジタル画像の読取りとともにお店ＩＤ１０の読取りを行い、さらにアーム１６によってＰＣメディア３を印刷部１８まで搬送してその表面にお店ＩＤ１０を印刷するものである。
【００４３】
印刷は、例えば図６に示すように複数桁の数字（例えばお店ＩＤ１０に対応する７桁の数字に注文番号に対応する６桁の数字を加えた１３桁の数字）とその数字に対応するバーコード表記によって行われる。これにより、このＰＣメディア３を目視確認するのみでお店ＩＤ１０を確認することができ、ＰＣメディアごとの区別をすることができる。したがって、後の照合工程が容易となる。
【００４４】
本実施の形態１においては、記録ユニット２によってＰＣメディア３内に写真注文プログラムが記録されるように構成されているが、記録ユニット２で記録するのでなく、このＰＣメディア処理装置１４に図示しない記録部が備えられ、ＰＣメディア処理装置１４によってＰＣメディア３に写真注文プログラムが記録されるように構成されていてももちろんよい。写真注文プログラムをＰＣメディア３にいずれの装置によっていずれの機会に記録するかはもっぱらサービス体制、コスト等、写真店や大ラボの商品戦略上の都合に応じて決定される。
【００４５】
このＰＣメディア処理装置１４においては、お店ＩＤ１０とともに写真プリントを作成するためのデジタル画像もＰＣメディア３から読み取られる。読み取られたデジタル画像がデジタル写真プリンタ１４ｃへと送信され、そのデジタル画像を用いてデジタル写真プリンタ１４ｃによって注文情報に基づきつつ写真プリント１９が作成される（Ｓ．７）。その注文情報は、ＰＣメディア処理装置１４及びデジタル写真プリンタ１４ｃと接続され、それらの動作を制御するコントローラ１４ｂに予め入力され、デジタル写真プリンタ１４ｃへと予め送信されている。写真プリント１９の裏面には、例えばお店ＩＤ１０が印刷される。
【００４６】
作成された写真プリント１９とＰＣメディア３とＤＰ袋１３との照合が行われる（Ｓ．８）。この照合は、写真プリント１９裏面とＰＣメディア３の表面とに印刷され、ＤＰ袋１３に印刷又は記入されたお店ＩＤ１０や、その他の注文ナンバーを目視確認することにより行われる。
【００４７】
照合が完了したら、ＤＰ袋１３内にＰＣメディア３及び作成された写真プリント１９が挿入され、写真店Ｓへと送られる（Ｓ．９）。顧客Ｃが再び写真店Ｓへと出向き、ＰＣメディア３、写真プリント１９及びＤＰ袋１３を受け取る（Ｓ．１０）。
【００４８】
【実施の形態２】
本発明の実施の形態２に係る写真注文プログラムについて説明する。図７は、この写真注文プログラムを用いた写真注文の全体の流れを示す図であり、図８は、この写真注文プログラムを用いた写真プリント作成の注文の手順を説明するフローチャートである。この写真注文プログラム１０１は、顧客Ｃの自宅等に設置されたＰＣ１００を情報送信手段として機能させるものであり、自宅からインターネットＷを経由して写真プリント１９の作成を注文する場合に使用するものである。写真注文プログラムは顧客Ｃが持ち帰ったＰＣメディア３内に記録されている。
【００４９】
まず顧客Ｃは、デジタル画像・所定の識別情報としてのお店ＩＤ１０・写真注文プログラム１０１が記録されたＰＣメディア３を自宅等のＰＣ１００に挿入する（Ｓ．２１）。ＰＣメディア３内にはデジタル画像のサムネイルを表示するためのビューワソフトウェアも記録されており、このＰＣメディア３がＰＣに挿入されるとビューワソフトウェアが起動されてＰＣ画面に図９に示すビュー画面２０が表示され、デジタル画像をＰＣ画面上で確認することができる。このビューワソフトウェアも顧客Ｃが持ち帰ったＰＣメディア３内に記録されている。
【００５０】
上記実施の形態１においては、メモリ６内に写真注文プログラムが保持されており、記録ユニット２を用いてＰＣメディア３にデジタル画像等とともに写真注文プログラムを記録するように構成しているが、所定の管理情報３ａとともにＰＣメディア３内に写真注文プログラムやビューワソフトウェアが予め記録されていてももちろんよい。
【００５１】
ここで、写真プリント１９の作成を希望する場合は、「写真注文プログラム」のインストールボタン２１をマウスでクリックすることにより写真注文プログラム１０１のインストール作業を行う。なお、このインストール作業は初回の場合、すなわち顧客ＣのＰＣ１００にまだ写真注文プログラムがインストールされていない場合にのみ必要であり、次回以降の写真プリント作成注文の場合には、もちろんインストール作業は必要ない。
【００５２】
「写真注文プログラム」のインストールボタン２１をマウスでクリックすると、図１０に示すインストール確認画面２２がＰＣ画面に表示され、写真注文プログラム１０１をＰＣ１００にインストールするかどうかが確認される。ＯＫボタン２３をマウスでクリックすると写真注文プログラム１０１のインストールが実行され、写真注文プログラム１０１が起動可能な状態となる。
【００５３】
次に、写真注文プログラム１０１を起動する（Ｓ．２２）と、ＰＣ画面に図１１に示す起動画面２４が表示され、注文ボタン２５をマウスでクリックすると図１２に示すお店ＩＤ入力画面２６がＰＣ画面に表示される。このお店ＩＤ入力画面２６は、顧客Ｃが注文した写真プリント１９を受け取る写真店Ｓのお店ＩＤを入力するための入力画面である。その入力方法は、通常は顧客Ｃが写真プリント１９を受け取る写真店Ｓのお店ＩＤ１０に相当する数字を１つずつ入力するものであったり、予め写真注文プログラム１０１内に格納された複数のお店ＩＤ１０の中から選択するものであったりする場合が多い。
【００５４】
しかしながら、この実施の形態においては、ＰＣメディア３にお店ＩＤ１０が既に記録されており、写真注文プログラム１０１がそのお店ＩＤ１０を自動的に読み取って選択し（Ｓ．２３）、お店ＩＤ入力画面に表示するので、顧客Ｃはわざわざ写真店Ｓのお店ＩＤ１０を入力する必要はない。したがって、簡便に写真プリントの受取店を指定することができる。ＯＫボタン２７をマウスでクリックすると、図１３に示す顧客情報入力画面２８がＰＣ画面上に表示される。
【００５５】
この顧客情報入力画面２８において、顧客Ｃ（すなわち注文者）の名前・住所・電話番号等の顧客情報２９を入力する（Ｓ．２４）。顧客情報２９の入力完了後、ＯＫボタン３０をマウスでクリックすると、図１４に示すデジタル画像選択画面３１がＰＣ画面上に表示される。
【００５６】
このデジタル画像選択画面３１は、写真プリント作成を注文するデジタル画像を選択するための画面であり、ＰＣ画面上にＰＣメディア３内のデジタル画像がサムネイル表示される。顧客Ｃは、この画面上で写真プリント作成を注文するデジタル画像３２，３３を選択し（Ｓ．２５）、さらにそれぞれのデジタル画像に対応する注文枚数やプリントサイズ等の注文情報３２ａ，３３ａも入力して（Ｓ．２６）、注文確定画面移行ボタン３４をマウスでクリックする。
【００５７】
続いてＰＣ画面上に図１５に示す注文確定画面３５が表示され、顧客Ｃは最終的に注文内容を確認することができる。この注文確定画面３５には、注文に係るデジタル画像３２，３３や、注文枚数・プリントサイズ等の注文情報３２ａ，３３ａに加え、注文内容に基づいて計算された注文料金情報３６も表示されている。注文内容を確認後、顧客Ｃが注文画面移行ボタン３７をマウスでクリックすると図１６に示す注文画面３８がＰＣ画面上に表示される。
【００５８】
この注文画面３８において、顧客Ｃが注文ボタン３９をマウスでクリックすると、所定の情報すなわちお店ＩＤ１０、顧客情報２９、選択されたデジタル画像３２，３３、そのデジタル画像にそれぞれ対応する注文情報３２ａ，３３ａ等が情報送信手段としてのＰＣによって例えば大ラボＬのＷｅｂサーバ１０２に向けて送信される（Ｓ．２７）。送信された所定の情報は、インターネットＷを経由して大ラボＬのＷｅｂサーバによって受信される。
【００５９】
大ラボＬにおいては、受信した所定の情報（お店ＩＤ１０、顧客情報２９、選択されたデジタル画像３２，３３、注文情報３２ａ，３３ａ等）に基づいて写真プリント１９が作成される（Ｓ．２８）。写真プリント１９の作成は、上記実施の形態１と同様にデジタル写真プリンタ１４ｃによって行われる。本実施の形態２においては、ＰＣメディア３が大ラボＬに送られるのでなく、デジタル画像３２，３３を含む所定の情報が大ラボＬのＷｅｂサーバ１０２に送信されるので、ＰＣメディア処理装置１４を用いる必要はない。Ｗｅｂサーバ１０２に送信された注文情報３２ａ，３３ａに基づいてコントローラ１４ｂがデジタル写真プリンタ１４ｃを制御しつつ、Ｗｅｂサーバ１０２に送信されたデジタル画像３２，３３を用いて写真プリント１９が作成される。
【００６０】
写真プリント１９が作成されるとその写真プリント１９が所定のＤＰ袋１３に挿入され、Ｗｅｂサーバ１０２に送信された所定の情報内に含まれたお店ＩＤ１０に対応する写真店Ｓへと送られる（Ｓ．２９）。顧客Ｃは、写真店Ｓへと出向き、ＤＰ袋１３に挿入された写真プリント１９を受け取る（Ｓ．３０）。
【００６１】
【実施の形態３】
顧客ＣがこのＰＣメディア３を写真店Ｓに持ち込んで再注文（いわゆる焼き増し）を注文する場合について説明する。自宅にＰＣを備えていない顧客ＣやＰＣの操作に不慣れな顧客Ｃにとっては写真注文プログラム１０１を用いた写真注文は容易でない場合がある。そのような場合であっても顧客Ｃが焼き増しを希望するときは、顧客ＣはこのＰＣメディア３を写真店Ｓへと持ち込んで焼き増し注文を行う。
【００６２】
顧客ＣがＰＣメディア３を写真店Ｓへと持ち込むと、例えば写真店ＳのＰＣによってＰＣメディア３内のデジタル画像を表示させ、画像確認をしながら焼き増しを注文するデジタル画像３２，３３を選択する。その際、プリント枚数・プリントサイズ等の注文情報３２ａ，３３ａも指定し、さらに顧客Ｃの名前や電話番号等の顧客情報２９も併せてＤＰ袋１３に記入する。
【００６３】
注文情報や顧客情報の記入が完了したらこの写真店ＳはＰＣメディア３を顧客Ｃから預かり、ＤＰ袋１３に入れて大ラボＬへと送る。大ラボＬにおいて、ＰＣメディア処理装置１４によりＰＣメディア３内のデジタル画像が読み取られ、コントローラ１４ｂにおいて注文情報３２ａ，３３ａが入力され、それらがデジタル写真プリンタ１４ｃへと送られて写真プリント１９が作成される。このＰＣメディア３の表面には既に写真店Ｓに対応するお店ＩＤ１０が印刷されているので、ＰＣメディア処理装置１４によってお店ＩＤ１０をＰＣメディア３に印刷する工程は必要ない。
【００６４】
写真プリント１９が作成された後、ＰＣメディア３、写真プリント１９、ＤＰ袋１３の照合が行われ、写真店Ｓへとそれらが送られるが、これらの工程については上記実施の形態１の場合と略同様であるので説明を省略する。
【００６５】
以上、本発明の好ましい実施の形態を説明したが、本発明はこれらに限定されるものではなく、その要旨の範囲内で様々な変形や変更が可能である。
【００６６】
【発明の効果】
以上説明したように、本発明の一側面としてのデジタル画像記録装置によれば、デジカメプリントサービスを注文する際にも顧客が自分のカメラメディア（第１の記録媒体）を預ける必要がなく、安心かつ便利である。また、このデジタル画像記録装置を写真店等の店頭に設置した場合は、簡単な操作で顧客がメディア記録サービスやデジカメプリントサービスを利用することができる。
【００６７】
また、所定の識別情報が、店ごとに割り振られた店識別情報、又は、デジタル画像記録装置ごとに割り振られたデジタル画像記録装置識別情報のうち少なくともいずれか１の識別情報である場合は、ＰＣメディア（第２の記録媒体）内にその識別情報を有することとなる。したがって、大ラボ等の現像所における照合工程が容易かつ確実となる。また、顧客がこのＰＣメディアを用いて写真注文を行う際に、わざわざ識別情報を入力しなくてもよいので写真注文が容易かつ便利となる。
【００６８】
第１の記録媒体の脱離を検知した後に、第２の記録媒体の脱離を可能とした場合は、第１の記録媒体（カメラメディア）をデジタル画像記録装置から取り出さないと第２の記録媒体（ＰＣメディア）を取り出せないので、カメラメディアの取り出し忘れを防止することができる。
【００６９】
第１の記録媒体内に記録されたデジタル画像の画像コマ数を表示する表示部をさらに有する場合は、デジタル画像記録装置を操作する操作者（例えば顧客）が容易に第１の記録媒体（カメラメディア）内の画像コマ数を確認することができる。したがって、記録不良等の誤動作を容易に認識することができ、カメラメディア内の画像コマ数とＰＣメディア内に記録された画像コマ数との不整合等の発生を防止することができる。
【００７０】
第２の記録媒体に予め記録された所定の管理情報を検出した後に、第２の記録媒体へのデジタル画像の記録を可能とした場合は、このデジタル画像記録装置に使用可能な第２の記録媒体（ＰＣメディア）を、所定の管理情報が予め記録されたもののみに限定することができる。したがって、写真店において品質保証の困難なＰＣメディアを顧客が自分で持ち込んでデジタル画像記録装置を使用するのを防止することができる。
【００７１】
本発明の一側面としてのデジタル画像記録媒体（ＰＣメディア）によれば、デジタル画像の記録を可能とするための所定の管理情報が予め記録されているので、デジタル画像記録装置をこの管理情報を検出した場合にのみ使用可能な構成とすることができる。それによりこのＰＣメディアをデジタル画像記録装置の専用品とすることができ、写真店において品質保証の困難なＰＣメディアを顧客が自分で持ち込んでデジタル画像記録装置を使用するのを防止することができる。
【００７２】
本発明の一側面としての写真注文プログラムによれば、所定の情報が、注文情報とデジタル画像とデジタル画像記録装置によって第２の記録媒体に記録された所定の識別情報に基づいて自動的に選択された店識別情報とを有しているので、写真注文の際に、店識別情報をわざわざ入力したり選択したりする必要がない。注文した写真プリントを受け取る受取写真店を特段意識する必要なく、普段写真注文を行っている写真店が自動的に選択されるので、写真注文が容易かつ便利になる。
【００７３】
本発明の一側面としての写真注文システムによれば、第２の記録媒体（ＰＣメディア）の表面に識別情報が印刷されるので、識別情報を目視にて確認することができる。したがって、識別情報を確認するためにいちいちＰＣメディア内の情報を読み取る必要がなく、照合工程が効率的となる。また、万一複数のＰＣメディアが混ざってしまったりした場合であっても、容易にＰＣメディアごとの区別が可能である。
【図面の簡単な説明】
【図１】本発明の実施の形態１に係る写真注文システムの全体構成を示す図である。
【図２】図１に示す写真注文システムにおける写真注文から写真プリント作成までの手順を説明するフローチャートである。
【図３】図１に示す写真注文システムに用いられる記録ユニットの外観斜視図である。
【図４】図３に示す記録ユニットの内部構成を示す概略ブロック図である。
【図５】図１に示す写真注文システムに用いられるＰＣメディア処理装置の外観斜視図である。
【図６】ＰＣメディアの外観平面図である。
【図７】本発明の実施の形態２に係る写真注文プログラムを用いた写真注文の全体の流れを示す図である。
【図８】本発明の実施の形態２に係る写真注文プログラムを用いた写真プリント作成の注文の手順を説明するフローチャートである。
【図９】ＰＣメディア内に記録されたビューワソフトウウェアのビュー画面の表示例を示す図である。
【図１０】本発明の実施の形態２に係る写真注文プログラムのインストール確認画面の表示例を示す図である。
【図１１】本発明の実施の形態２に係る写真注文プログラムの起動画面の表示例を示す図である。
【図１２】本発明の実施の形態２に係る写真注文プログラムのお店ＩＤ入力画面の表示例を示す図である。
【図１３】本発明の実施の形態２に係る写真注文プログラムの顧客情報入力画面の表示例を示す図である。
【図１４】本発明の実施の形態２に係る写真注文プログラムのデジタル画像選択画面の表示例を示す図である。
【図１５】本発明の実施の形態２に係る写真注文プログラムの注文確定画面の表示例を示す図である。
【図１６】本発明の実施の形態２に係る写真注文プログラムの注文画面の表示例を示す図である。
【符号の説明】
Ｃ：顧客
Ｗ：インターネット
１：カメラメディア（第１の記録媒体）
２：記録ユニット（デジタル画像記録装置）
３：ＰＣメディア（第２の記録媒体、デジタル画像記録媒体）
３ａ：管理情報
４：制御部
５：メディアリーダ（読取手段）
５ｂ：カメラメディア検知部
６：メモリ（保持手段）
７：ＰＣメディアドライブ（記録手段）
７ａ：ＰＣメディア検知部
８：ＬＣＤ部（表示部）
１０：お店ＩＤ（店識別情報）
１１：ユニットＩＤ（デジタル画像記録装置識別情報）
１９：写真プリント
３２，３３：デジタル画像
３２ａ，３３ａ：注文情報
１００：ＰＣ（パーソナルコンピュータ）
１０１：写真注文プログラム
【図１】
2004348314.tif 000003
【図２】
2004348314.tif 000004
【図３】
2004348314.tif 000005
【図４】
2004348314.tif 000006
【図５】
2004348314.tif 000007
【図６】
2004348314.tif 000008
【図７】
2004348314.tif 000009
【図８】
2004348314.tif 000010
【図９】
2004348314.tif 000011
【図１０】
2004348314.tif 000012
【図１１】
2004348314.tif 000013
【図１２】
2004348314.tif 000014
【図１３】
2004348314.tif 000015
【図１４】
2004348314.tif 000016
【図１５】
2004348314.tif 000017
【図１６】
2004348314.tif 000018